(57)【要約】      （修正有）【課題】箱本体の防塵性や防水性を低下させることなく、電気機器の取付けや配線作業時に機器取付板を開いた状態に安定に保持することができる電気機器収納箱を提供する。【解決手段】箱本体１の内部の蝶番取付レール９に取付けた蝶番８により、箱本体１の内部に機器取付板５を開閉可能に支持させた電気機器収納箱である。ストッパ部材２２を備え、その一端を機器取付板５に係止し、他端を蝶番取付レール９に係止することにより、電気機器の取付けや配線作業時に、機器取付板５を開状態に保持できるようにした。【選択図】図３
2011086872.tif 000002
【特許請求の範囲】
【請求項１】
箱本体の内部の蝶番取付レールに取付けた蝶番により、箱本体の内部に機器取付板を開閉可能に支持させた電気機器収納箱であって、一端を機器取付板に係止し、他端を蝶番取付レールに係止することにより、機器取付板を開状態に保持するストッパ部材を備えたことを特徴とする電気機器収納箱。
【請求項２】
ストッパ部材が、機器取付板の機器取付面の外側に配置されるものであることを特徴とする請求項１記載の電気機器収納箱。
【請求項３】
機器取付板の折曲片にストッパ部材係止用の孔部が形成され、ストッパ部材が機器取付板の折曲片の外側面に配置されるものであることを特徴とする請求項２記載の電気機器収納箱。
【請求項４】
ストッパ部材が略コ字状に屈曲した形状であり、一方の辺を機器取付板の孔部に係止される被係止部とし、他方の辺を蝶番取付レールに当接される回転軸部としたことを特徴とする請求項１から３のいずれかに記載の電気機器収納箱。
【請求項５】
ストッパ部材の被係止部に嵌め込まれる抜け止め部材を備えたことを特徴とする請求項４記載の電気機器収納箱。
【発明の詳細な説明】
【技術分野】
【０００１】
本発明は、箱本体の内部に機器取付板を備えた電気機器収納箱に関するものである。
【背景技術】
【０００２】
電気機器収納箱は、箱本体の背面を構成する板に機器取付用鉄製基板を固定し、各種の電気機器を取付けることができる構造のものであるが、更に多くの電気機器を取付けることができるように、箱本体の内部に開閉可能な機器取付板を備えたもの（例えば特許文献１）がある。
【０００３】
このような機器取付板は蝶番によって箱本体の側板内面に取付けてあり、正面の扉を開いたうえで機器取付板を開くと、奥の機器取付用鉄製基板に電気機器を取付けたり、配線作業を行ったりすることができるようになっている。電気機器収納箱は壁面に垂直に設置されるのが一般的であるが、このような電気機器の取付けや配線作業は電気機器収納箱を水平に倒し、正面を上向きにした姿勢で行われることが多い。
【０００４】
その場合には扉と機器取付板とを斜め上方に開いて作業を行うが、作業中に衝撃を受けたり強風を受けたりすると、機器取付板が作業者の手元側に倒れてくる危険がある。そこで箱本体との間に棒状のストッパ部材を配置し、機器取付板を開いた状態に保持することが考えられるが、ストッパ部材の端部を保持させるために箱本体の水切部に孔を形成すると、電気機器収納箱の防塵性や防水性が低下するという問題があった。
【先行技術文献】
【特許文献】
【０００５】
【特許文献１】実開昭５６−６１０９１号のマイクロイルム
【発明の概要】
【発明が解決しようとする課題】
【０００６】
従って本発明の目的は上記した従来の問題点を解決し、箱本体の防塵性や防水性を低下させることなく、電気機器の取付けや配線作業時に機器取付板を開いた状態に安定に保持することができる電気機器収納箱を提供することである。
【課題を解決するための手段】
【０００７】
上記の課題を解決するためになされた本発明は、箱本体の内部の蝶番取付レールに取付けた蝶番により、箱本体の内部に機器取付板を開閉可能に支持させた電気機器収納箱であって、一端を機器取付板に係止し、他端を蝶番取付レールに係止することにより、機器取付板を開状態に保持するストッパ部材を備えたことを特徴とするものである。
【０００８】
なお、ストッパ部材が機器取付板の機器取付面の外側に配置されるものであることが好ましい。また機器取付板折曲片にストッパ部材係止用の孔部が形成され、ストッパ部材が機器取付板の折曲片の外側面に配置されるものであることが好ましい。またストッパ部材が略コ字状に屈曲した形状であり、一方の辺を機器取付板の孔部に係止される被係止部とし、他方の辺を蝶番取付レールに当接される回転軸部としたものであることが好ましい。さらに、ストッパ部材の被係止部に嵌め込まれる抜け止め部材を備えることが好ましい。
【発明の効果】
【０００９】
本発明によれば、箱本体の内部に開閉可能に支持された機器取付板を、電気機器の取付けや配線作業時にはストッパ部材によって開状態に保持することができるので、衝撃を受けたり強風を受けたりしても、機器取付板が倒れて作業者に危険が及ぶことがない。また、このストッパ部材は一端が機器取付板に係止され、他端が蝶番取付レールに係止されるものであるから、箱本体の水切り部に孔を形成する必要がなく、電気機器収納箱の防塵性や防水性が低下することがない。
【００１０】
また、ストッパ部材を機器取付板の機器取付面の外側や機器取付板の折曲片の外側面に配置されるようにすれば、ストッパ部材の取付けの際に作業者は箱本体の外側から行う為に取付を誤ってしまった場合や、箱体内部への機器取付作業中に誤ってストッパ部材に作業者が当たってしまった場合にも、作業者側に機器取付板が倒れてくることもなく安全に作業を行うことができる。また、ストッパ部材を外側に配置するために機器取付有効スペースも小さくする必要もなくなる。
【００１１】
また、ストッパ部材を略コ字状に屈曲した形状として、一方の辺を機器取付板の孔部に係止される被係止部とし、他方の辺を蝶番取付レールに当接される回転軸部とすれば、ストッパ部材が蝶番取付レールに当接し、機器取付板が水平方向・垂直方向に移動することを抑制するので、機器取付板が倒れる危険性がない。
【００１２】
さらに、ストッパ部材の被係止部に抜け止め部材を嵌め込めば、衝撃を受けたような場合にもストッパ部材の被係止部が抜けることがなくなり、より安全である。
【図面の簡単な説明】
【００１３】
【図１】本発明の実施形態を示す全体斜視図である。
【図２】機器取付板に電気機器を取付けた状態を示す斜視図である。
【図３】本発明の実施形態を示す全体斜視図である。
【図４】本発明の実施形態を示す全体斜視図である。
【図５】機器取付板を箱本体の内部に収納した状態を示す斜視図である。
【図６】機器取付板を開いた状態を示す斜視図である。
【図７】機器取付板とストッパ部材との関係を示す斜視図である。
【図８】図７の要部を拡大した斜視図である。
【図９】図７の要部を拡大した側面図である。
【図１０】ストッパ部材の収納状態を示す斜視図である。
【図１１】機器取付板とストッパ部材との他の関係を示す斜視図である。
【図１２】機器取付板とストッパ部材との他の関係を示す斜視図である。
【図１３】本発明の他の形態を示す全体斜視図である。
【発明を実施するための形態】
【００１４】
以下に本発明の好ましい実施形態を示す。
図１〜図４は本発明の実施形態を示す全体斜視図であり、１は大型の電気機器収納箱の箱本体、２はその扉、３はその側板である。前述したように電気機器収納箱は壁面に垂直に設置されるのが一般的であるが、組み立て、電気機器の取付け、配線などの作業は電気機器収納箱を水平に倒し、正面を上向きにした姿勢で行われる場合があるので、その状態で図示してある。箱本体１の開口部周縁には水切部４が形成されている。
【００１５】
５はこの箱本体１の内部に支持された機器取付板である。この実施形態では機器取付板５は断面Ｌ字状のものであり、開閉器やリレーなどの電気機器Ｗを搭載するための機器取付面６と、機器取付面６の先端を垂直に折曲した接続面７とを有し、接続面７の先端部が複数の蝶番８によって蝶番取付レール９に枢着されている。図２に電気機器Ｗを機器取付面６に取付けた状態を示す。蝶番取付レール９は箱本体１の内部に設けられており、この実施形態では水切部４の内側の側板３に設けられている。このため機器取付板５は通常状態では図５に示すように箱本体１の内部に扉や背面板と平行に支持されるが、電気機器の取付け、配線などの作業時には図１のように斜め上方に開くことができる。
【００１６】
蝶番取付レール９は屈曲した断面を備え、その垂直辺１０に複数の取付孔１１を備えたもので、箱本体１の側板３などに設けられているボススタッド１３を利用して取付けられている。取付孔１１を図７に示すようなだるま孔にしておけば、蝶番取付レール９が長尺である場合にも片側の取付孔１１をボススタッド１３に引っ掛けておき、他側の取付孔１１をねじ止めすることができ、作業性を向上させることができる。なお図６に示すようにボススタッド１３に位置調節バー１４を取付け、その上に蝶番取付レール９を取付けるようにすれば、機器取付板５の高さの変更が容易となる。防水性や防塵性の問題がない場合には、箱本体１の側板７に蝶番取付レール９を直接ねじ止めすることもできる。蝶番取付レール９の水平辺１２の端部にはストッパ部材係止用の孔部１５が形成されている。
【００１７】
機器取付板５には配線を通す配線孔１６が多数形成されており、配線孔１６を通じて引き出された配線は蝶番取付レール９などに結束され、機器取付面６上に配置された電気機器に接続される。また機器取付板５の裏面には、施錠片１７が設けられている。さらに機器取付板５の両側の折曲片１８には、複数のストッパ部材係止用の孔部１９が形成されている。
【００１８】
この実施形態では、蝶番取付レール９は箱本体１の長手方向に配置されており、機器取付板５は箱本体１の巾方向に回転する。図４に示すように、箱本体１の内部には機器取付板５を支持するための支柱２０が設けられており、機器取付板５を箱本体１の扉２や背面板と平行に支持できるようになっている。また、箱本体１の内部には施錠片１７を受ける施錠片受部２１が設けられている。
【００１９】
上記構造の機器取付板５を開いた状態に支持するために、図７〜図９に示すストッパ部材２２が用いられる。この実施形態では、ストッパ部材２２は金属棒を略コ字状に屈曲した形状であり、両端の屈曲片のうち一方の辺を機器取付板５のストッパ部材係止用の孔部１９に係止される被係止部２３とし、他方の辺を蝶番取付レール９に当接される回転軸部２４としてある。図８に示されるように、回転軸部２４の先端は更に屈曲されて抜け止め用の片部２５となっている。
【００２０】
図７〜図９に示されるように、ストッパ部材２２は機器取付板５の外側、すなわち機器取付面６側に装着され、他の実施例として図１１に示すように機器取付板５の機器取付面６にストッパ部材係止用の孔部を形成してストッパ部材２２を装着しても良い。この場合は、蝶番取付レール９のストッパ部材係止用の孔部１５を複数設けておく。また、ストッパ部材２２は機器取付板５の上下部分の折曲片１８の外側面に配置され、他の実施例として、図１２に示すように機器取付板５の左右部分の折曲片１８の外側面にストッパ部材係止用の孔部を形成してストッパ部材２２を装着しても良い。図１１と同様に蝶番取付レール９のストッパ部材係止用の孔部１５を複数設けておく。ストッパ部材２２の被係止部２３を機器取付板５のストッパ部材係止用の孔部１９に外側から挿入し、必要に応じて図８に示すゴム製の抜け止め部材２６を内側から挿入してより確実に固定する。またストッパ部材２２の他端を蝶番取付レール９のストッパ部材係止用の孔部１５に通したうえ、回転軸部２４を蝶番取付レール９の裏面角部に密着させて安定させる。これにより垂直方向及び水平方向の動きが規制され、機器取付板５が閉じる方向に倒れることを防止することができる。またストッパ部材２２は機器取付板５の機器取付面６の外側や機器取付板５の折曲片１８の外側面に配置されるため、ストッパ部材２２の取付けの際に作業者は箱本体１の外側から行う為に取付を誤ってしまった場合や、箱体内部への機器取付作業中に誤ってストッパ部材２２に作業者が当たってしまった場合にも、作業者側に機器取付板５が倒れてくることがない。なお、機器取付板５の複数のストッパ部材係止用の孔部１９のうち適切なものを選択することにより、機器取付板５の保持角度を変更することができる。
【００２１】
また図１０に示すように、機器取付板５の接続面７にストッパ部材収納用の孔部２７を設けて不使用時のストッパ部材２２を収納しておくことができるようにすれば、使用時にストッパ部材２２を探す必要がない。また、蝶番取付レール９にストッパ部材収納用の孔部を形成することにより、不使用時にはストッパ部材２２をストッパ部材係止用の孔部１５から取り外す必要もなく回転させるだけで容易に収納可能となる。
【００２２】
以上に説明した実施形態では機器取付板５の両側をそれぞれストッパ部材２２で保持できるようにしたが、機器取付板５が小型である場合には片側のみに配置しても差し支えない。なお、機器取付板５は必ずしも断面Ｌ字状である必要はなく、図１３に示すような平板状であっても差し支えない。また、ストッパ部材２２を機器取付板５の外側からではなく、内側から係止するものであっても差し支えない。
【符号の説明】
【００２３】
１  箱本体
２  扉
３  側板
４  水切部
５  機器取付板
６  機器取付面
７  接続面
８  蝶番
９  蝶番取付レール
１０  垂直辺
１１  取付孔
１２  水平辺
１３  ボススタッド
１４  位置調節バー
１５  ストッパ部材係止用の孔部
１６  配線孔
１７  施錠片
１８  折曲片
１９  ストッパ部材係止用の孔部
２０  支柱
２１  施錠片受部
２２  ストッパ部材
２３  被係止部
２４  回転軸部
２５  片部
２６  抜け止め部材
２７  ストッパ部材収納用の孔部
Ｗ  電気機器
【図１】
2011086872.tif 000003
【図２】
2011086872.tif 000004
【図３】
2011086872.tif 000005
【図４】
2011086872.tif 000006
【図５】
2011086872.tif 000007
【図６】
2011086872.tif 000008
【図７】
2011086872.tif 000009
【図８】
2011086872.tif 000010
【図９】
2011086872.tif 000011
【図１０】
2011086872.tif 000012
【図１１】
2011086872.tif 000013
【図１２】
2011086872.tif 000014
【図１３】
2011086872.tif 000015
【手続補正書】
【提出日】平成21年10月21日(2009.10.21)
【手続補正１】
【補正対象書類名】図面
【補正対象項目名】全図
【補正方法】変更
【補正の内容】
【図１】
2011086872.tif 000016
【図２】
2011086872.tif 000017
【図３】
2011086872.tif 000018
【図４】
2011086872.tif 000019
【図５】
2011086872.tif 000020
【図６】
2011086872.tif 000021
【図７】
2011086872.tif 000022
【図８】
2011086872.tif 000023
【図９】
2011086872.tif 000024
【図１０】
2011086872.tif 000025
【図１１】
2011086872.tif 000026
【図１２】
2011086872.tif 000027
【図１３】
2011086872.tif 000028